(57)【要約】      （修正有）【課題】機能に詳しくないユーザや、操作に慣れていないユーザでも、機能の設定が容易に行えるように操作性を向上した操作入力装置を提供する。【解決手段】操作した設定内容を操作履歴として記録する。操作履歴から操作頻度を算出して、操作頻度が高い設定キーのみ表示し、操作頻度が低い設定キーは非表示にするフィルタリング手段を設け、機能ごとに操作頻度の高い設定を一覧表示することで設定フローをわかりやすくする。【選択図】図７
2008117061.tif 000002
【特許請求の範囲】
【請求項１】
機能毎に複数の設定があり、その設定を階層化した画面で切り替え表示し、上位の機能設定画面で選択された機能に対して、下位の機能設定画面で詳細設定する機能設定制御手段を備える画像形成装置の操作入力装置であって、ユーザ操作の操作内容を履歴として記録する記録手段と、前記操作履歴から操作頻度を算出する手段と、前記操作頻度が高い設定キーのみを表示するフィルタリング手段と、前記フィルタリング手段で表示する設定キーを機能毎に複数設定分をまとめて1画面に表示する画面生成手段を有する操作入力装置。
【請求項２】
請求項１に記載のフィルタリング手段において、表示する設定キーの決定は操作頻度が閾値以上もしくは上位の一定個数であり、閾値と上位の表示個数はユーザが指定できることを特徴とする操作入力装置。
【請求項３】
請求項１に記載のフィルタリング手段において、機器の状態変化や上位設定による機能間の排他により設定不可になる下位設定の設定キーは操作頻度が高い設定キーであっても非表示にする手段を備え、画面に表示する設定キーを動的に表示切替する手段を備える操作入力装置。
【発明の詳細な説明】
【技術分野】
【０００１】
本発明は、アプリケーションプログラム、OA機器、AV機器等の操作性に関し、特にユーザの操作履歴から頻繁に使用する設定キーのみを表示することでユーザの操作性を高めた操作入力装置、それらコンピュータプログラムおよび操作画面表示形式に関する。
【背景技術】
【０００２】
従来の複写機では、多機能化・複雑化が進み、操作部には複数の機能が表示され、ユーザの混乱を招きやすくなっている。この問題を解決する方法として、複数の機能設定キーが区画表示された機能設定画面を階層的に切り替え表示し、上位の階層から下位の階層に順次機能設定キーを順に設定する操作することにより、決められた大きさの画面でも複雑な設定を行えるようなっている。更に、特開2005-254624にあるように、上位の階層の中にも様々な機能設定キーが配置され、どの設定キーを選択すべきなのか判断に困る場合や、操作が煩雑になる場合、操作履歴から選択頻度の最も高い機能設定キーを各階層の機能設定画面の所定位置に区画表示することで、操作性を向上させ技術が提案されている。
【特許文献１】特開2005-254624号公報
【発明の開示】
【発明が解決しようとする課題】
【０００３】
しかし、特開2005-254624にあるような、選択頻度の最も高い機能設定キーを各階層の機能設定画面の所定位置に区画表示する方法では、以下の課題がある。ユーザが所望する設定は、以前に操作したものと同じ物が多い。所定位置に選択頻度の最も高いキーを配置することで、以前と同じ操作を再現しやすくなるが、ユーザが機能の設定を行うために階層化された画面を切り替え表示し、上位の階層から下位の階層に順を追って設定しなければならないため、1つの機能を設定するにも複数の画面を切り替えが必要になる。そのため、所定位置に選択頻度の最も高いキーを配置していても、複数の設定をするのは操作が多くなりわずらわしい。
【０００４】
また、画面が階層化されているのは、決められた大きさの画面で詳細な設定をわかりやすく表示するためであるが、実際にユーザが使用する設定は一部であり、その設定はユーザによって選択する可能性のある設定の多さが変わるため、同じ表示でもユーザによっては使いやすい場合も、使いにくい場合もある。
【０００５】
更に、ユーザが機能の設定をする場合、特定の機能でどのような設定ができるか、どのような順番で設定をするかがわかりにくい。そこで、ユーザが機能の設定内容や順番が容易にわかるような操作性を提供する必要がある。
【０００６】
本発明の目的は、上述の課題を解決し、機能に詳しくないユーザや、操作に慣れていないユーザでも、機能の設定が容易に行えるように操作性を向上した操作入力装置を提供することである。
【課題を解決するための手段】
【０００７】
上記課題を解決するために、第一の手段は、機能毎に複数の設定があり、決められた大きさの画面でその複数の設定を行うために設定を階層化した画面で切り替え表示し、上位の機能設定画面で選択された機能に対して、下位の機能設定画面で詳細を設定する機能設定制御する手段を備える画像形成装置の操作入力装置であって、ユーザが操作した設定内容を操作履歴として記録する記録手段と、前記操作履歴から各画面に設定キーの操作頻度を算出する手段と、前記操作頻度が高い設定キーのみを表示し操作頻度が低い設定キーを非表示にするフィルタリング手段と、前記フィルタリング手段で表示する設定キーを機能毎に1画面に複数設定分をまとめて表示することで、機能の設定を詳細な設定まで一覧表示することで設定フローがわかりやすくなる。
【０００８】
第二の手段は、前記フィルタリング手段において、画面に表示する設定キーの決定は操作頻度が特定の閾値以上の設定キーもしくは上位の一定数の設定キーであり、判別に使用する閾値と上位の表示数はユーザが指定できる。ユーザが所望する数分の設定キーを表示することで、ユーザが使いやすい画面レイアウトに変更することが出来る。設定によって、表示数が変わる場合などは、閾値を用いることで、ユーザが使いやすい画面レイアウトに変更することも可能である。
【０００９】
第三の手段は、前記フィルタリング手段において、順番が先の設定による機能間の排他や機器の状態変化により、順番が後の設定の中で操作頻度が高い設定キーでも設定不可の設定キーを非表示にし、動的に表示する設定キーを変更する手段を備えることを特徴とする。同じ画面に、上位の設定と下位の設定の両方を表示するため、上位の設定により、下位の設定が使用不可になる場合に、使用不可になった設定キーを非表示にすることにより、ユーザの操作が容易に行えるようになる。
【発明の効果】
【００１０】
本発明により、機能ごとに操作頻度の高い設定を一覧表示することで、機能に詳しくないユーザや、操作に慣れていないユーザでも、機能の設定が容易に行えるようになる。
【発明を実施するための最良の形態】
【００１１】
（実施例１）
図1は202に示す複写機の操作部である。操作部は、204に示す液晶タッチパネルと、205に示すリセットボタン、206に示すユーザモードボタン、207に示すテンキーボタン、208に示すスタートボタン、209に示すストップボタン、210に示す電源ボタンから構成される。204の液晶タッチパネルは、複写機機能画面を表示し、ユーザが触ることで、ユーザ操作を受信する。
【００１２】
図2は、複写機の構成図である。4の操作部、5のCPU、6のRAM、7の操作部I/F、8のNetwork、9のMODEM、10のROM、11のHDD、12のImageBus-I/F、13のデバイスI/F、14のスキャナ画像処理、15のプリンタ画像処理、16のスキャナ、17のプリンタから構成される。8のNetworkはLANに、9のMODEMはWANに繋がれ、e-mail送信などのネットワーク通信を行う。
【００１３】
図3は本発明の複写機のモジュールの構成図である。21の画面生成部と22のユーザ操作受信部からなる20の操作部、24の操作頻度算出と25の操作記録部と26の操作履歴処理部からなる23の操作内容処理部、29の機器状態監視部と30の画面作成部と31の画面表示処理部からなる28の画面表示処理部、33のユーザ認証部と34のユーザ設定処理部からなる32のユーザ情報処理部と、35のコントローラから構成される。
【００１４】
図4はユーザモード画面である。操作履歴の高い設定キーを表示/非表示を決定するための、閾値をもしくは上位の数を入力する。111の表示閾値キーを押下すると、112のフィールドに入力した値が有効になる。113の表示数キーを押下すると、114のフィールドに入力した値が有効になる。
【００１５】
図5は縮小レイアウトの画面フローである。縮小レイアウトの設定を行うには、40の応用モード画面で41の縮小レイアウトキーを押下する。次に表示される42の原稿サイズ画面で、43の用紙サイズキーを選択し、44の次へキーを押下する。次に表示される45のレイアウト画面で、46のレイアウト設定キーを選択し、47の次へキーを押下する。次に48で表示される出力用紙選択画面で、49の用紙サイズを選択し、50のOKキーを押下すると縮小レイアウトの設定が完了する。
【００１６】
図6は、図5の縮小レイアウトのフローにおける操作履歴をまとめた表である。100は画面の設定名称であり、101は100で示す設定が選択された回数をしめしており、102は画面ごとの設定回数の合計である。
【００１７】
図7は、操作頻度の高い設定キーを縮小レイアウト機能で1画面にまとめた画面である。70は、縮小レイアウトの設定全てを表示する画面で、71は原稿サイズの設定の中で、操作頻度の高い72の設定キーを表示している。設定頻度は101と102で示す操作履歴から操作頻度を計算したもので、112で操作頻度が30％以上のものを表示する設定になっていると、「A4」、「A3」を表示する。その下には73で示す「その他」キーを表示する。73の「その他」キーを押下すると、非表示になっているキーを選択するために、80原稿サイズ画面に遷移する。74はレイアウトの設定の中で、操作頻度の高い75の設定キーを表示している。76の「その他」キーを押下すると、非表示になっているキーを選択するために、81のレイアウト画面に遷移する。77は出力用紙選択の設定の中で、操作頻度の高い78の設定キーを表示している。79の「その他」キーを押下すると、非表示になっているキーを選択するために、81の出力用紙選択画面に遷移する。
【００１８】
図8は操作履歴登録のフローチャートである。F1-1で、ユーザ操作を受信すると、F1-2でその操作が設定キーか判別し、設定キーだった場合にはF1-3で操作履歴に登録する。設定キーではなかった場合は、履歴に登録せずF1-4で次の画面に遷移し、F1-5で機能設定終了かどうかを判別し、終了で無い場合はF1-1に戻る。
【００１９】
図9は機能設定画面を表示するフローチャートである。F2-1でユーザ指定の表示条件をユーザモード情報から取得する。F2-2で操作履歴を読み込み、設定キーごとに、F2-4のキー情報読込、F2-5の操作頻度算出、F2-6の表示条件の判別、表示条件以上の設定キーはF2-7で画面に表示を実施する。
【００２０】
（実施例２）
本発明の2つ目の実施例を示す。
【００２１】
図10は仕上げの画面フローである。仕上げの設定を行うには、60の仕上げ種類画面で61の仕上げの種類キーを選択し62のOKキーを押下する。61でステイプルソートキーを選択すると、次に表示される63のステイプル位置画面で、64のステイプル位置キーを選択し、65の次へキーを押下する。64で中綴じを選択すると、次に66で表示される用紙選択画面で、68の用紙サイズを選択し、67のOKキーを押下すると縮小レイアウトの設定が完了する。
【００２２】
図11は操作頻度の高い設定キーを仕上げ機能で1画面にまとめた画面である。132で仕上げ種類の中で操作頻度の高い設定キーを表示する。131でステイプルが選択されているため、133のステイプル位置の設定キーが表示されている。133でステイプル位置が未選択のため、次の設定は表示されていない。133で中綴じを選択すると、140で示す画面を表示する。141で中綴じが選択状態のため、142の用紙選択の設定キーが表示される。
【００２３】
図12は、機器の状態変化により、140の表示が変更になった画面である。140では用紙があるため、144で「A3」が表示されている。しかし用紙A3 が無くなった場合は「A3」が選択できなくなるため、操作頻度が高くても非表示になり、151に示す次に操作頻度が高い「A5R」が表示される。
【００２４】
図13は、ユーザが画面を操作する場合の画面切り替えのフローチャートである。図11の画面を例にとって説明すると、130の画面が表示されている際に、F3-1で133にある中綴じキーを押下する。F3-2で設定キーかの判別をするが、中綴じキーは設定キーなので、F3-3に進み次の設定グループに変更があるかの判別をする。次の設定グループは用紙選択になるので、変更ありになりF3-4 に進む。F3-4でユーザ指定の表示条件を取得(表示条件が上位2つ)し、F3-5で指定の設定グループの操作履歴を読み込み、設定キーごとに、F3-7のキー情報読込、F3-8の操作頻度算出、F3-9の表示条件の判別、表示条件以上の設定キーはF3-10で画面に表示を実施する。140の画面では、設定キー全てに対してF3-6からF3-10までの操作を実施し、上位2つ「A4」と「A3」が用紙選択の設定キーに表示される。
【００２５】
図１４は、ユーザが画面を操作する場合の画面切り替えで機器の状態により設定に使用不可になった場合のフローチャートである。F4-1でユーザ指定の表示条件をユーザモード情報から取得する。F4-2で操作履歴を読み込み、設定キーごとに、F4-4のキー情報読込、F4-5の操作頻度算出、F4-6の表示条件を判別する。表示条件以上だった場合F4-7で機器の状態を取得し、F4-8で機器の状態から設定が使用可能かを判別し、使用可能な設定キーはF4-10で画面に表示を実施する。
【図面の簡単な説明】
【００２６】
【図１】操作部。
【図２】画像形成装置の構成図。
【図３】操作入力装置モジュール図。
【図４】ユーザモード画面。
【図５】縮小レイアウトフロー図。
【図６】操作履歴。
【図７】縮小レイアウト一覧画面。
【図８】操作履歴登録フローチャート。
【図９】画面生成フローチャート。
【図１０】仕上げフロー図。
【図１１】仕上げ一覧画面。
【図１２】仕上げ一覧画面中綴じ選択。
【図１３】画面切り替えフローチャート。
【図１４】機器状態による画面切り替えフローチャート。
【図１】
2008117061.tif 000003
【図２】
2008117061.tif 000004
【図３】
2008117061.tif 000005
【図４】
2008117061.tif 000006
【図５】
2008117061.tif 000007
【図６】
2008117061.tif 000008
【図７】
2008117061.tif 000009
【図８】
2008117061.tif 000010
【図９】
2008117061.tif 000011
【図１０】
2008117061.tif 000012
【図１１】
2008117061.tif 000013
【図１２】
2008117061.tif 000014
【図１３】
2008117061.tif 000015
【図１４】
2008117061.tif 000016